(57)【特許請求の範囲】
【請求項１】
インクジェット印刷用定着剤であって、該定着剤が印刷媒体上に印刷される少なくとも１つのインクを下刷り又は上刷り又はその両方のために使用され、前記少なくとも１つのインクの各インクが別個のプリントカートリッジから印刷され、該定着剤が、3,000〜100,000の分子量（重量平均基準）を有するポリ（スチレンアリルアルコール）をビヒクル中に含み、前記定着剤が少なくとも１つのインクジェットインクプリントカートリッジとは別のカートリッジに収容されている、一液型システムのインクジェット印刷用定着剤。
【請求項２】
前記各インクが、少なくとも３つの個別のプリントカートリッジ中の少なくとも３つのカラーインクとして提供される、請求項１に記載の定着剤。
【請求項３】
前記少なくとも３つのカラーインクが、シアン、イエロー、及びマゼンタである、請求項２に記載の定着剤。
【請求項４】
前記各インクが、３つの個別プリントカートリッジ中の３つのカラーインク、及び第４の個別プリントカートリッジ中の１つのブラックインクとして提供される、請求項２に記載の定着剤。
【請求項５】
前記ポリマーの前記ビヒクル中濃度が、2〜30重量％の範囲内である、請求項１に記載の定着剤。
【請求項６】
前記分子量が、5,000〜20,000の範囲内である、請求項１に記載の定着剤。
【発明の詳細な説明】
【０００１】
【発明の属する技術分野】
本発明は、インクジェットインクに関し、より詳細には、耐スミア堅牢性、スマッジ耐性、耐水堅牢性、及び耐光堅牢性などの印刷性能を向上させるためにインクジェット印刷に使用される定着剤組成物に関する。
【０００２】
【従来の技術】
インクジェットのより優れた画像品質についてのかなりの要求がある。低い耐スミア堅牢性、耐水堅牢性、及び耐光堅牢性、及びよごれる（スマッジ）傾向は、インクジェットの主なる欠点であると考えられており、従って本発明はこれらの問題を扱う。
【０００３】
従来技術においてこれらの問題を扱うのに幾つかの技術が用いられてきた。その１つは下刷りであり、これは、着色剤を用紙表面上へ層化すること、ウィッキングを低減すること、且つカラー性能を改善することを助ける。下刷りは、インクの堆積に先立つ基板上への透明流体の適用と定義される。より優れた耐水堅牢性及びブリード制御に対して下刷り技術を取り入れている幾つかの特許がある；例えば、K. Tanaka等の米国特許第5,624,484号、"Liquid Composition and Ink Set, and Image-Forming Process and Apparatus Using the Same"（1997年４月29日発行）、及びA. Kashiwazaki等の米国特許第5,640,187号、"Ink Jet Recording Method and Ink Jet Recording Apparatus Therefor"(1997年６月17日発行)（両特許共にCanonへ譲渡）；R. W. Wong等の米国特許第5,723,179号、"Method and Composition for Obtaining Waterfast Images From Ink Jet Inks"(1998年３月３日発行、Xerox Corp.へ譲渡)；及びM. Yatakeの米国特許第5,746,818号、"Pigment Ink Composition Capable of Forming Image Having No Significant Bleeding or Feathering"(1998年５月５日発行、Seiko Epsonへ譲渡)を参照されたい。下刷りにおける基礎的概念は、染料を逆電荷の種と結合させることである。例えば、アニオン染料は、カチオンポリマーで結合させることができ、そしてカチオン染料は、アニオンポリマーで結合させることができる。透明な下刷り流体は、以下に定着流体又は定着剤と称される。
【０００４】
下刷りが、カーボンブラックベースのインクなどの顔料分散物の彩度（又は、ブラックについては光学濃度）を増大し得ることが知られている。例えば、ヒューレット−パッカード社のDeskJet 890Cプリンタ中のブラックインクは、複合ブラックで下刷りされ、結果的に光学濃度がかなり増加する。また、下刷りされた顔料インクのエッジ明瞭度も改善される。
【０００５】
しかし、染料ベースインクに関しては、当分野で周知の下刷り技術は、彩度をかろうじて高めるか、又は、ほとんどしばしば低下させる。従って、上述の米国特許第5,723,179号から判断されるように、下刷りによって画像の光学濃度が低下する（但し、下刷りにより画像は耐水性となる）。同様に、市販のCanon BJC-700プリンタでは、下刷りは、エッジ明瞭度とブリードを改善するが、色の鮮明度を低下させる（後述の実施例参照）。彩度の低下は、用紙上に注がれる液体容積の増加に起因するものである。結果として、染料と下刷り定着剤の複合体が用紙中に浸透して彩度を低下させることになる。染料ベースシステムのエッジ明瞭度に関しては、しばしば改善されるが、領域充填の均一性が犠牲にされる。
【０００６】
他方、透明な流体での上刷りも又周知である。例えば、米国特許出願Serial Nos. 09/295,665号及び09/296,456号（両方とも出願日1999年４月21日）は、いずれも出願人且つ譲渡人Makarand P. Goreによる、可融材料から成る透明流体でインクジェットインクを上刷りし、次いで、その印刷画像を、レーザプリンタの溶融器に非常に似たインクジェットプリンタの溶融器で溶融させることを開示している。このアプローチは、改善された永続性のある画像の提供には確かに適するが、インクジェットプリンタの改造を必要とする。
【０００７】
【発明が解決しようとする課題】
しかしながら、インクジェットインクにおける耐スミア堅牢性、耐水堅牢性、耐光堅牢性、及び耐スマッジ堅牢性を改善するための方法に関する必要性は存在している。
【０００８】
【課題を解決するための手段】
本発明によれば、印刷媒体上に印刷される少なくとも１つのインクを下刷り又は上刷りすることと関連して一液型の定着剤が提供される。
【０００９】
本発明の一液型の定着剤は、ビヒクル中にポリマーを含む。ポリマーは、ポリ（スチレンアリルアルコール）から成り、3,000〜100,000の範囲内の分子量（重量平均基準）を有する。
【００１０】
定着剤(fixative)は、インクジェットインクプリントカートリッジ（群）とは別のカートリッジに収容される。
【００１１】
耐水堅牢性、耐スミア堅牢性、耐スマッジ堅牢性、及び耐光堅牢性、並びに印刷品質（例えば、光学濃度と彩度）の強化は、本発明に於ける定着溶液の使用により提供される。
【００１２】
【発明の好ましい実施形態】
本発明を実施するために本発明者等が目下意図する最良形態を示す、本発明の特定の実施態様の参照を詳細に行う。代替実施態様も又、適用可能な場合に簡単に記述される。
【００１３】
インクジェットに於けるカラーインクは、典型的には、シアンカラー、マゼンタカラー及びイエローカラーを有する。従って、主要なカラーが、シアン、マゼンタ及びイエロー（Ｃ、Ｍ、Ｙ）である。二成分カラーは、それらの二成分の組合せ、即ち、ブルーＢ＝Ｃ＋Ｍ、レッドＲ＝Ｍ＋Ｙ、及びグリーンＧ＝Ｙ＋Ｃである。複合ブラック（Comp−Ｋ＝Ｃ＋Ｍ＋Ｙ）は、シアン、イエロー及びマゼンタインクを一緒に印刷することによって形成されるブラックカラーである。これは、しばしばインクジェットプリンタにより別のインクカートリッジとして供給されるトゥルーブラックインク（true Ｋ）とは異なる。従って、従来のカラーインクジェット印刷に於いては、４つのペンカートリッジ、即ち、シアン(Ｃ)、イエロー(Ｙ)、マゼンタ(Ｍ)、及びブラック(Ｋ)がある。
【００１４】
インクは、周知のように、ビヒクルと少なくとも１つの着色剤を含んで成る。
【００１５】
ビヒクルは、１つ又はより多くの共溶媒と水を含む。共溶媒は、インクジェット印刷に通常採用される１つ又はより多くの有機、水混和性の溶媒を含む。本発明の実施に使用される共溶媒の種類には、これらに限定されるものではないが、脂肪族アルコール類、芳香族アルコール類、ジオール類、グリコールエーテル類、ポリ（グリコール）エーテル類、ラクタム類、ホルムアミド類、アセトアミド類、及び長鎖アルコール類が包含される。本発明の実施に使用される化合物の例には、これらに限定されるものではないが、炭素数30又はより少ない第一級脂肪族アルコール類、炭素数30又はより少ない第一級芳香族アルコール類、炭素数30又はより少ない第二級脂肪族アルコール類、炭素数30又はより少ない第二級芳香族アルコール類、炭素数30又はより少ない１，２−アルコール類、炭素数30又はより少ない１，３−アルコール類、炭素数30又はより少ない１，ω−アルコール類、エチレングリコールアルキルエーテル類、プロピレングリコールアルキルエーテル類、ポリ（エチレングリコール）アルキルエーテル類、ポリ（エチレングリコール）アルキルエーテル類のより高級の同族体類、ポリ（プロピレングリコール）アルキルエーテル類、ポリ（プロピレングリコール）アルキルエーテル類のより高級の同族体類、Ｎ−アルキルカプロラクタム類、非置換カプロラクタム類、置換ホルムアミド類、非置換ホルムアミド類、置換アセトアミド類、非置換アセトアミド類が包含される。本発明の実施に好ましく使用される共溶媒の具体例としては、これらに限定されるものではないが、Ｎ−メチルピロリドン、１，５−ペンタンジオール、２−ピロリドン、ジエチレングリコール、１，３−（２−メチル）−プロパンジオール、１，３，５−（２−メチル）−ペンタントリオール、テトラメチレンスルホン、３−メトキシ−３−メチルブタノール、グリセリン及び１，２−アルキルジオール類が包含される。
【００１６】
着色剤（群）は、１つ又はより多くの染料（水溶性）又は顔料（水不溶性）を含み得る。顔料が採用される場合、ビヒクル中で顔料を分散させるために分散剤が使用される。あるいは又、ビヒクル中で分散可能にするため、顔料は化学的に処理され得る。
【００１７】
界面活性剤、殺生物剤、ｐＨ調整剤等の添加剤を適宜添加し得る。そのような添加剤は、当業者にはよく知られている。全成分の純度は、インクジェットインクに通例採用されるものである。
【００１８】
印刷品質及び保管可能性(archivibility)を改善するための上刷り又は下刷り仕様のための、第５の及び／又は第６のペンカートリッジ中への、定着溶液の使用がここに開示される。これは、着色剤と定着ポリマー間に特定の相互作用をもたらす、下刷りにおける受容層、又は上刷りにおけるコーティングを可能にする。印刷属性、即ち、耐水堅牢性、耐スミア堅牢性、耐スマッジ堅牢性、及び耐光堅牢性、の強化が得られる。
【００１９】
下刷り又は上刷りの何れかが意図される時は、第５のペンが採用される。この状態では１つの定着剤だけがあるので、これが第５のペンに収容される。
【００２０】
下刷り及び上刷りの両方が意図される時は、第６のペンが採用される。この状態では２つの定着剤があり、それらは同じであるか又は異なっていてもよい。一方の定着剤が第５のペンに収容され、他方の定着剤が第６のペンに収容される。
【００２１】
下刷りの場合に於いて、本発明の利益を実現するためには、定着剤とインクの正確な位置合わせが必要とされる。その場合、定着剤に対する精確な制御を達成するために、インクジェットプリントヘッドが採用される。
【００２２】
上刷りの場合に於いて、定着剤とインクのそのような正確な位置合わせは、定着剤が印刷されたインクを覆う限り、それ程重要ではない。従って、インクジェットプリントヘッドは、所望であれば使用可能であるが、必要ではない。あるいは又、噴霧器又はエアブラシなどの、圧力下で流体を噴出する機械装置が採用される。定着剤は透明なので、プリントヘッド、噴霧器、エアブラシ、又は他の適当なシステムのいずれかであろうと、透明流体堆積デバイスによって定着剤が堆積されると言ってよい。従って、印刷されたインクを覆うのに定着剤を使用することを、ここでは選択的に上刷り又はオーバーコーティングと称す。
【００２３】
ここで開示される２つの定着剤システムは、一液型システム及び二液型システムである。
【００２４】
一液型システムは、ポリマー組成、分子量及び選択されるビヒクル溶液中の溶解度パラメータに依存して、水性（水ベース）又は溶媒ベース中のいずれかに分散される高分子量ポリマーを含む。印刷媒体上のビヒクルが除去されると、粒子の凝集によってポリマーのネットワーク又はフィルムが形成される。本発明の実施に採用されるポリマーは、ポリ（スチレンアリルアルコール）である。ポリマーのガラス転移温度（Ｔｇ）、融解温度（Ｔｍ）、及び重量平均分子量などの物理特性は、フィルム形成特性及び形成されるフィルムの機械的性質にとって重要である。
【００２５】
二液型システムは次の成分から成る：(a)  第５の及び／又は第６のペンカートリッジ中の反応性モノマー又はオリゴマー類、及び(b)  カラーカートリッジ中の反応性成分。例としては、第５の及び／又は第６のペン中のイソシアナート基末端オリゴマー（ＴＤＩ又はＭＤＩ）又はエポキシ基末端オリゴマー、及びカラーカートリッジ中のポリオール類、ポリビニルアルコール類及び触媒が包含される。重合は、上刷り及び下刷り中の溶液(a)と(b)の混合によって生ずる。イソシアナートに対する触媒は、典型的に、アミン類及びアルコキシド類から成り、一方、アミン類、アルコキシド類、及び金属イオンは、エポキシ類に有用である。
【００２６】
上刷りの実験において、本発明者等は、水分散型ポリアクリルウレタン、及びポリウレタンから成る一液型システムが、耐水堅牢性と耐ハイライタスミア堅牢性を大幅に高めることを見出した。40重量％の２−ピロリドンから成るビヒクル中に６重量％のポリアクリル−ウレタン含有の定着溶液から成るオーバーコーティングと共に着色剤を評価した。次の印刷媒体では着色剤の移動は観測されなかった：Gilbert Bond(GNBD)、Champion Datacopy(CDCY）、及びStora Papyrus Multicopy(PMCY)。ポリマーコーティングが無い場合、着色剤は耐水性でない；典型的に、300〜400mODのインク移動が生じた。同様に、耐ハイライタスミア堅牢性も改善した。GNBD、CDCY及びPMCY上における２パスまでのアルカリ性ハイライタで、50mODを下回る移動値が観測された。酸性ハイライタは、さらに低い移動をもたらした。
【００２７】
上述のように、一液型システム又は二液型システムのいずれかにおける溶媒は、水ベースであるか又は溶媒ベースの何れかである。水ベースシステムは、水が大部分の、あるいは唯一の溶媒成分であるものを意味する。印刷媒体上での均一な塗布及び乾燥を提供するために、水溶性有機溶媒及び界面活性剤が導入され得る。そのような水溶性、又は水混和性の有機溶媒類及び界面活性剤の例には、ビヒクル成分と関連して上に挙げたものが含まれる。
【００２８】
他方、溶媒ベースシステムは、ポリマーが、１つ又はより多くの有機溶媒から成るビヒクル中に可溶性であるか又は分散されるものを指す。典型的には、混合物は、約５〜10重量％の水との制限された混和性を有するであろう。有機溶媒の例には下記が包含される：(1)  ジクロロエタン、メチレンクロリド、ペルクロロエチレン、トリクロロエタン及びトリクロロエチレンなどのハロゲン化炭化水素；(2)  脱芳香族化石油留出物、ホワイトスピリット及び合成物などの脂肪族炭化水素；(3)  重ナフサ、溶媒ナフサ、トルエン、トリメチルベンゼン及びキシレンなどの芳香族炭化水素；(4)  エタノール、イソプロパノール、ｎ−プロパノール、ｎ−ブタノール、sec−ブタノール及びジアセトンアルコールなどのアルコール類；(5)  酢酸エチル、乳酸エチル、及び酢酸Ｎ−ブチルなどのエステル類；(6)  エチレングリコールモノメチルエーテル、エチレングリコールモノエチルエーテル、エチレングリコールモノプロピルエーテル及びエチレングリコールモノブチルエーテルなどのエーテル類；(7)  シクロヘキサン、メチルエチルケトン及びメチルイソブチルエーテルなどのケトン類；(8)  ジペンテン、テルピネオール及びテルペンチンなどのテルペン類。有機溶媒（群）の濃度は、定着剤システムの約0.1〜98重量％の範囲内である。
【００２９】
定着剤システムは、また、約0.1〜20重量％の濃度範囲内で１つ又はより多くの界面活性剤を含み得る。界面活性剤（群）は、好ましくは、有機溶媒可溶性であり、例えば、SURFYNOLS、TERGITOLS、及びTRITONSの界面活性剤シリーズで入手可能な、低エチレンオキシド反復単位を有するものである。SULFYNOLSは、Air Productsから入手可能なアセチレン系エトキシル化ジオール類であり、TERGITOLSは、Union Carbideから入手可能なポリエチレン又はポリプロピレンオキシドエーテル類であり、そしてTRITONSは、Rohm & Haas Co.から入手可能なアルキルフェニルポリエチレンオキシド類である。上記混合物が、乾燥速度、コーティングの均一性及び光沢性などの所望のコーティング特性を達成するために使用されることは、コーティング産業の分野では周知である。
【００３０】
本発明は、耐スミア堅牢性、耐スマッジ堅牢性、耐水堅牢性、及び耐光堅牢性などの印刷性能を増強するのに印刷頁をオーバコートするための透明な溶液（定着剤）の使用に関する。該溶液は、エアブラシ又は噴霧器などの加圧装置を用いて微細なエアロゾルとして、印刷頁上にオーバーコートとして送り出される。そのため、該溶液は定着流体又は定着剤と呼ばれる。
【００３１】
定着流体は、一液型又は二液型システムから成っていてよい。一液型システムは、水性媒体中（水媒介）又は有機溶媒中の何れかに分散された高分子量のポリマーから成る。望ましい性質は次の通りである：
−50℃から100℃の範囲のガラス転移温度（Ｔg）；
30℃から150℃の範囲の融解温度（Ｔm）；及び
ポリマーの分子量（ＭＷ）は、フィルムを形成するのに十分高いものであるべきである。
【００３２】
分子量は構造依存性であるけれども、線状ポリマーに関しては、典型的に、3,000〜100,000（重量平均）の範囲である（架橋結合が生ずる時、ＭＷは無意味）。好ましい範囲は、ポリマーがフィルムを形成し始める時であるか、又は約5,000〜20,000である。
【００３３】
オーバーコーティング定着剤として有用なポリマーの例としては、ビニルベースのモノマー（例えば、アクリレート）又は縮合／付加モノマー（例えば、イソシアナート類）から合成されたものが包含される。コポリマーはビニルベースモノマーと縮合モノマーとから生成することが可能である。
【００３４】
ポリマーは、以下に記載されるものから成る群から選択される：
１．  アクリル酸及びメタクリル酸及びそれらの塩：
【００３５】
【化１】
0004065130.tif 000002
【００３６】
式中、ＲはＨ又はＣＨ3である。
【００３７】
２．  アクリル酸及びメタクリル酸のエステル類：
【００３８】
【化２】
0004065130.tif 000003
【００３９】
式中、Ｒ1は上記に定義される通り、及びＲ2はＣ1−Ｃ50のラジカルである。
【００４０】
３．  アクリル酸及びメタクリル酸のアミド類：
【００４１】
【化３】
0004065130.tif 000004
【００４２】
式中、Ｒ1は上記に定義される通り、及びＲ2とＲ3は、独立してＣ1−Ｃ50のラジカルである。
【００４３】
４．  アクリル酸及びメタクリル酸のヒドロキシアミド類：
【００４４】
【化４】
0004065130.tif 000005
【００４５】
式中、Ｒ1とＲ2は上記に定義される通り。
【００４６】
５．  ポリエチレングリコール類及びアクリル酸及びメタクリル酸のエステル類：
【００４７】
【化５】
0004065130.tif 000006
【００４８】
式中、Ｒ1とＲ2は上記に定義される通り、及びｎは１から100の整数である。
【００４９】
６．  ポリアルキレングリコール類及びアクリル酸及びメタクリル酸のエステル類：
【００５０】
【化６】
0004065130.tif 000007
【００５１】
式中、Ｒ1、Ｒ2、Ｒ3、及びｎは上記に定義される通り。
【００５２】
７．  スルホアルキル（アリール）アクリレート及びメタクリレート、及びそれらの塩：
【００５３】
【化７】
0004065130.tif 000008
【００５４】
式中、Ｒ1及びＲ2は上記定義の通り。
【００５５】
８．  ポリアルキレン（アリール）グリコールジアクリレート及びジメタクリレート類：
【００５６】
【化８】
0004065130.tif 000009
【００５７】
式中、Ｒ1及びＲ2は上記に定義される通り、及びｎは１から50の整数である。
【００５８】
９．  トリアクリレート類、トリメタクリレート類、テトラアクリレート類、及びテトラメタクリレート類：
【００５９】
【化９】
0004065130.tif 000010
トリメチロールプロパントリアクリレート類及びトリメタクリレート類
【００６０】
【化１０】
0004065130.tif 000011
アルコキシル化トリメチロールプロパントリアクリレート類及びトリメタクリレート類
【００６１】
【化１１】
0004065130.tif 000012
グリセリルトリアクリレート類及びトリメタクリレート類
【００６２】
【化１２】
0004065130.tif 000013
アルコキシル化グリセリルトリアクリレート類及びトリメタクリレート類
【００６３】
【化１３】
0004065130.tif 000014
ペンタエリトリトールテトラアクリレート類及びテトラメタクリレート類
【００６４】
【化１４】
0004065130.tif 000015
アルコキシル化ペンタエリトリトールテトラアクリレート類及びテトラメタクリレート類
【００６５】
前記全ての式中、Ｒ1及びＲ2は先に定義される通りであり、且つｎは１から50の整数である。
【００６６】
10．  スチレン及びその誘導体：
【００６７】
【化１５】
0004065130.tif 000016
【００６８】
式中、ＸとＹは、独立してＨ、ＮＨ2、ＳＯ3Ｈ、ＯＣＨ3、又はＣ1−Ｃ20のラジカルである。
【００６９】
11．  ビニルエステル類及びアルコール類：
【００７０】
【化１６】
0004065130.tif 000017
【００７１】
式中、Ｒは、Ｃ1−Ｃ50のラジカル（エステル類）又はＯＨ（アルコール）である。
【００７２】
12．  ビニルエーテル類：
【００７３】
【化１７】
0004065130.tif 000018
【００７４】
式中、ＲはＣ1−Ｃ50のラジカルである。
【００７５】
13．  ジアリルジアルキルアンモニウムハロゲン化物：
【００７６】
【化１８】
0004065130.tif 000019
【００７７】
式中、Ｒ1及びＲ2は、独立してＨ又はＣ1−Ｃ20のラジカルであり、且つＸ-は、Ｆ-、Ｃｌ-、Ｂｒ-、Ｉ-、ＳＯ42-、又はＰＯ43-である。
【００７８】
14．  ビニルスルホン酸及びその塩：
【００７９】
【化１９】
0004065130.tif 000020
【００８０】
15．  Ｎ−ビニルアミド類：
【００８１】
【化２０】
0004065130.tif 000021
【００８２】
式中、Ｒ1は、Ｈ又はＣ1−Ｃ20のラジカルであり、及びＲ2は、独立に、Ｈ又はＣ1−Ｃ50のラジカルである。
【００８３】
16．  下記の何れかの化合物：
【００８４】
【化２１】
0004065130.tif 000022
アリルメタクリレート
【００８５】
【化２２】
0004065130.tif 000023
アリルアクリルアミド
【００８６】
【化２３】
0004065130.tif 000024
Ｎ−ビニルカルバゾール
【００８７】
【化２４】
0004065130.tif 000025
Ｎ−ビニルピロリドン
【００８８】
【化２５】
0004065130.tif 000026
ビニルイミダゾール
【００８９】
【化２６】
0004065130.tif 000027
ビニルピリジン
【００９０】
【化２７】
0004065130.tif 000028
ポリ不飽和ベタイン類
【００９１】
【化２８】
0004065130.tif 000029
ポリ不飽和スルホベタイン類
【００９２】
【化２９】
0004065130.tif 000030
ポリ不飽和アミンオキシド類
【００９３】
【化３０】
0004065130.tif 000031
ポリ不飽和脂肪酸類
【００９４】
式中、Ｒ1及びＲ2は、独立してＣ1−Ｃ50のラジカルであり、且つｍとｎは、独立して１から10の整数である。
【００９５】
17．  ポリエチレンオキシドアルケニルフェノール：
【００９６】
【化３１】
0004065130.tif 000032
【００９７】
式中、ＸとＹは、独立してＨ又はＣＨ＝ＣＨ2、ＲはＣ1−Ｃ50のラジカルであり、且つｎは１から100の整数である。
【００９８】
18．  ポリアルキレン（アリール）ジビニルエーテル類：
【００９９】
【化３２】
0004065130.tif 000033
【０１００】
式中、Ｒは、Ｃ1−Ｃ50のラジカルであり、且つｎは１から50の整数である。
【０１０１】
19．  下記の何れかの分子：
【０１０２】
【化３３】
0004065130.tif 000034
１，４−ジイソシアナートベンゼン
【０１０３】
【化３４】
0004065130.tif 000035
トルエンジイソシアナート
【０１０４】
【化３５】
0004065130.tif 000036
４，４’−メチレンビス（フェニルイソシアナート）
【０１０５】
【化３６】
0004065130.tif 000037
ポリメチレンポリ（フェニルイソシアナート）
【０１０６】
【化３７】
0004065130.tif 000038
ジシクロヘキシルメタンジイソシアナート
【０１０７】
【化３８】
0004065130.tif 000039
１，４−シクロヘキサンジイソシアナート
【０１０８】
好ましくは、一液型の定着剤組成物に採用されるポリマーは、アリルメタクリレート、アリルアクリルアミド、Ｎ−ビニルカルバゾール、Ｎ−ビニルピロリドン、ビニルイミダゾール、ビニルピリジン、１，４−ジイソシアナートベンゼン、トルエンジイソシアナート、４，４’−メチレンビス（フェニルイソシアナート）、ポリメチレンポリ（フェニルイソシアナート）、ジシクロヘキシルメタンジイソシアナート、及び１，４−シクロヘキサンジイソシアナートから成る群から選択される。
【０１０９】
定着溶液中のポリマーの濃度は、２〜30重量％の範囲にあり、３〜10重量％が好ましい。
【０１１０】
例
一液型の水ベースポリマー定着剤組成物の例を以下の表ＩＡに挙げる。
【０１１１】
【表１】
0004065130.tif 000040
【０１１２】
一液型の溶媒ベースポリマー定着剤組成物の例を以下の表ＩＢに挙げる。
【０１１３】
【表２】
0004065130.tif 000041
【０１１４】
本発明のポリマー定着剤が、染料及び顔料の両方に対して耐スミア堅牢性、耐スマッジ堅牢性、及び耐水堅牢性を改善するのに十分機能することが見出された。以下の表IIＡに、定着溶液（水ベース）が使用された場合と使用されない場合の、インク組成物及び着色剤の例、及び得られた結果を示す。
【０１１５】
【表３】
0004065130.tif 000042
【０１１６】
各インクに関する一液型の溶媒ベースポリマー定着剤組成物の結果を以下の表IIＢに詳述する。
【０１１７】
【表４】
0004065130.tif 000043
【０１１８】
【表５】
0004065130.tif 000044
【０１１９】
表IIＡ及び表IIＢにおける耐水堅牢性、耐スミア堅牢性、及び耐スマッジ堅牢性の測定に関して、着色剤移動のより低い値は、より優れた結果であることを示す。従って、試験した３つの印刷媒体に関しては、定着剤を使用しない印刷に比較して、本発明の定着剤を使用することにより、耐水堅牢性、耐スミア堅牢性（酸及びアルカリの両方）、及び耐スマッジ堅牢性がかなり改善されたことが分かる。
【０１２０】
同様のアプローチにより、印刷済み媒体の耐光堅牢性特性の改善は、抗酸化剤、紫外線吸収剤／消光剤、及び遊離基捕捉剤を定着剤溶液中に組み入れることにより期待される。これは、耐光堅牢性が現在に於いては容易に達成し得ないため、染料ベースインクに対しては特に適するであろう。これらの技術によって、例えば、屋外塗装の耐光堅牢性性能が強化されることは、コーティング産業において十分認められている。抗酸化剤、紫外線吸収体／消光剤、及び遊離基捕捉剤の幾つかの例は、ｐ−アミノ安息香酸(PABA)、アスコルビン酸、キノン、クマリン、アントラキノン、及び立体障害アミン類である。
【０１２１】
光学濃度と彩度の点からの印刷品質の実質的な改善は、ポリマー定着剤を有するものに関して見られる（表IIＡ及び表IIＢ）。Spectra Tech Lustro Laser、Kromekote 2000 1S cover、Utopia Dull、及びProfessional Brochure & Flyer paperなどのコート媒体において、例えば光学濃度は0.8から0.3まで著しく上昇した。この効果は、Gilbert Bond及びHammermill Fore DPなどの普通紙では、よりもっと小さい。同様に、シアン、マゼンタ、及びイエローの原色の彩度値は、ポリマー定着剤によって実質的に上昇した。彩度Ｃ*は、所与のカラーの三次元空間を定量的に説明するＬ.ｃ.ｈ.値の３成分の１つであり；従って、彩度値が高いほど、そのカラーは明るい。可能な最大の色空間を達成するためには、特に像形成の用途において、原色の彩度値を最大にすることが極めて望ましい。
【０１２２】
二液型システムにおいては、本発明の定着剤溶液は、(1)  ビヒクル中の反応性モノマー又はオリゴマーであって、該反応性モノマー又はオリゴマーはイソシアナート及びエポキシ基末端オリゴマーから成る群より選択されるもの、及び(2)  ポリオール類、ポリビニルアルコール類、及び塩基触媒類から成る群から選択された少なくとも１つの第２の成分を含む。反応性モノマー又はオリゴマーは、インクジェットインクプリントカートリッジ（群）とは別のカートリッジに収容され、一方、第２の成分（群）は、少なくとも１つのインクジェットインクプリントカートリッジに収容される。反応性モノマー又はオリゴマーは、印刷媒体上で第２の成分（群）と反応して、−50℃〜＋100℃の範囲内のガラス転移温度と、30℃〜150℃の範囲内の融解温度とを有するポリマーを生成する。ビヒクルは、水だけか又は上に挙げた１つ又はより多くの水溶性有機溶媒と水との組合せから構成され得る。
【０１２３】
定着剤が着色剤に対して反応性でない場合、それは水及びスミア／スマッジを含む環境への曝露に対抗する疎水性オーバーコートとして役立つ。
【０１２４】
本発明の定着剤組成物は、インクジェット印刷において有用性を見出すものと期待される。
【０１２５】
以上、印刷媒体上のインクジェット印刷に関連して下刷り、上刷り、又はその両方に使われる一液型及び二液型の定着剤システムを記述してきた。種々の変更並びに修正を実施し得ること、及び前述の全ての変更並びに修正は本発明の範囲内に帰属すると考えられることは、当業者には容易に明白となろう。
【０１２６】
【発明の効果】
本発明によれば、印刷媒体における耐水堅牢性、耐スミア堅牢性、耐スマッジ堅牢性、及び耐光堅牢性、並びに印刷品質（例えば、光学濃度と彩度）の強化を提供することができる。